(57)【要約】  プラズマディスプレイ装置において、クロストークを抑制する効果を高める。そのために、発光するサブフィールドと非発光のサブフィールドとの組合せを複数選択して構成する表示用組合せ集合に、第１の表示用組合せ集合と、発光するサブフィールドと非発光のサブフィールドとの組合せの数が第１の表示用組合せ集合よりも少ない第２の表示用組合せ集合とを含めてプラズマディスプレイパネルに階調を表示する。そして、データ電極の電極幅が相対的に広い放電セルの階調値を画像データに変換する際には第１の表示用組合せ集合を用いる。また、データ電極の電極幅が相対的に狭い放電セルの階調値を画像データに変換する際には、第１の表示用組合せ集合または第２の表示用組合せ集合を用いる。
2012049841.tif 000002
【特許請求の範囲】
【請求項１】
１フィールドをあらかじめ輝度重みの定められた複数のサブフィールドで構成するとともに、発光するサブフィールドと非発光のサブフィールドとの組合せを複数選択して構成する表示用組合せ集合を複数備え、前記表示用組合せ集合に属する組合せを用いて放電セルの発光・非発光を制御して、走査電極および維持電極からなる表示電極対と幅の異なるデータ電極とを有する放電セルを複数備えたプラズマディスプレイパネルに階調を表示するプラズマディスプレイ装置の駆動方法であって、
前記表示用組合せ集合に、第１の表示用組合せ集合と、発光するサブフィールドと非発光のサブフィールドとの組合せの数が前記第１の表示用組合せ集合よりも少ない第２の表示用組合せ集合とを有し、
前記データ電極の電極幅が相対的に広い放電セルの階調値を画像データに変換する際には前記第１の表示用組合せ集合を用い、
前記データ電極の電極幅が相対的に狭い放電セルの階調値を画像データに変換する際には、前記第１の表示用組合せ集合または前記第２の表示用組合せ集合を用いる
ことを特徴とするプラズマディスプレイ装置の駆動方法。
【請求項２】
前記データ電極の電極幅が相対的に狭い放電セルの階調値を画像データに変換する際に、
他の放電セルの少なくとも一方の階調値があらかじめ設定された所定のしきい値以上であれば前記第２の表示用組合せ集合を用いる
ことを特徴とする請求項１に記載のプラズマディスプレイ装置の駆動方法。
【請求項３】
前記第１の表示用組合せ集合および前記第２の表示用組合せ集合においては、特定のサブフィールドが発光しなければ前記特定のサブフィールド以降のサブフィールドも発光しないように、発光するサブフィールドと非発光のサブフィールドとの組合せを選択し、
前記第２の表示用組合せ集合における特定のサブフィールドの数を、前記第１の表示用組合せ集合における特定のサブフィールドの数よりも多くする
ことを特徴とする請求項１に記載のプラズマディスプレイ装置の駆動方法。
【請求項４】
前記データ電極の電極幅が相対的に狭い放電セルが発光する色は青色であることを特徴とする請求項１に記載のプラズマディスプレイ装置の駆動方法。
【請求項５】
前記データ電極の電極幅が相対的に狭い放電セルが発光する色は青色および赤色であることを特徴とする請求項１に記載のプラズマディスプレイ装置の駆動方法。
【請求項６】
走査電極および維持電極からなる表示電極対と幅の異なるデータ電極とを有する放電セルを複数備えたプラズマディスプレイパネルと、
書込み期間と、輝度重みに応じた数の維持パルスを前記表示電極対に印加する維持期間とを有する複数のサブフィールドで１フィールドを構成して前記プラズマディスプレイパネルを駆動し、発光するサブフィールドと非発光のサブフィールドとの組合せを複数選択して構成する表示用組合せ集合を複数備え、前記表示用組合せ集合に属する組合せを用いて放電セルの発光・非発光を制御して階調を表示する駆動回路とを含むプラズマディスプレイ装置であって、
前記駆動回路は、
第１の表示用組合せ集合と、発光するサブフィールドと非発光のサブフィールドとの組合せの数が前記第１の表示用組合せ集合よりも少ない第２の表示用組合せ集合とを有する前記表示用組合せ集合を用いて前記プラズマディスプレイパネルに階調を表示するとともに、
前記データ電極の電極幅が相対的に広い放電セルの階調値を画像データに変換する際には前記第１の表示用組合せ集合を用い、
前記データ電極の電極幅が相対的に狭い放電セルの階調値を画像データに変換する際には、前記第１の表示用組合せ集合または前記第２の表示用組合せ集合を用いる
ことを特徴とするプラズマディスプレイ装置。
【発明の詳細な説明】
【技術分野】
【０００１】
本発明は、交流面放電型のプラズマディスプレイパネルを用いたプラズマディスプレイ装置の駆動方法およびプラズマディスプレイ装置に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
このようなパネルを用いたプラズマディスプレイ装置では、隣接する放電セル間で、一方の放電セルから他方の放電セルへ電荷が移動する現象が発生することがある。以下、このような現象を「クロストーク」と呼称する。クロストークが発生すると放電セル内の壁電荷が減少する。そして、クロストークに起因する壁電荷の減少によって書込み動作が不安定になる放電セルが発生すると、画像表示品質が劣化することがある。【００１０】
プラズマディスプレイ装置における画像表示品質の劣化を防止するために、クロストークを防止する技術が開示されている（例えば、特許文献１参照）。この特許文献１に記載された技術では、パネルに画像を表示する際に特定の階調値だけを使用する。この特定の階調値とは、連続した階調値間で、連続したサブフィールドにおいて、サブフィールドの発光、非発光が入れ替わることがないような発光パターンを有する階調値である。【００１１】
特許文献１に記載の方法では、列方向に隣接する放電セル（１つのデータ電極を共有する隣り合う放電セル）の間で発生するクロストークについては効果を得ることができる。しかしながら、行方向に隣接する放電セル（１対の表示電極対を共用する隣り合う放電セル）の間で発生するクロストークについては十分な効果を得ることが困難である。【００１２】
また、パネルが高精細化されると、行方向に隣接する放電セルの間隔は狭くなる。したがって、高精細化されたパネルでは、クロストークがより発生しやすい。そのため、クロストークを抑制する効果を高めるとともに、クロストークが発生した場合に、パネルに表示される画像にクロストークが与える影響を抑制することができるプラズマディスプレイ装置が望まれている。
【先行技術文献】
【特許文献】
【００１３】
【特許文献１】特開２００４−２９２６５号公報
【発明の概要】
【００１４】
本発明は、１フィールドをあらかじめ輝度重みの定められた複数のサブフィールドで構成するとともに、発光するサブフィールドと非発光のサブフィールドとの組合せを複数選択して構成する表示用組合せ集合を複数備え、表示用組合せ集合に属する組合せを用いて放電セルの発光・非発光を制御して、走査電極および維持電極からなる表示電極対と幅の異なるデータ電極とを有する放電セルを複数備えたプラズマディスプレイパネルに階調を表示するプラズマディスプレイ装置の駆動方法である。この駆動方法において、第１の表示用組合せ集合と、発光するサブフィールドと非発光のサブフィールドとの組合せの数が第１の表示用組合せ集合よりも少ない第２の表示用組合せ集合とを有する表示用組合せ集合を用いてプラズマディスプレイパネルに階調を表示する。そして、データ電極の電極幅が相対的に広い放電セルの階調値を画像データに変換する際には第１の表示用組合せ集合を用いる。また、データ電極の電極幅が相対的に狭い放電セルの階調値を画像データに変換する際には、第１の表示用組合せ集合または第２の表示用組合せ集合を用いる。
【００１５】
これにより、クロストークを抑制する効果を高めるとともに、クロストークが発生した場合に、パネルに表示される画像にクロストークが与える影響を抑制し、品質の高い画像をパネルに表示することができる。
【００１６】
また、本発明のプラズマディスプレイ装置の駆動方法においては、データ電極の電極幅が相対的に狭い放電セルの階調値を画像データに変換する際に、他の放電セルの少なくとも一方の階調値があらかじめ設定された所定のしきい値以上であれば第２の表示用組合せ集合を用いることが望ましい。
【００１７】
また、本発明のプラズマディスプレイ装置の駆動方法において、第１の表示用組合せ集合および第２の表示用組合せ集合は、特定のサブフィールドが発光しなければ特定のサブフィールド以降のサブフィールドも発光しないように、発光するサブフィールドと非発光のサブフィールドとの組合せを選択する。そして、第２の表示用組合せ集合における特定のサブフィールドの数を、第１の表示用組合せ集合における特定のサブフィールドの数よりも多くする。
【００１８】
また、本発明のプラズマディスプレイ装置の駆動方法において、データ電極の電極幅が相対的に狭い放電セルが発光する色は青色であってもよい。
【００１９】
また、本発明のプラズマディスプレイ装置の駆動方法において、データ電極の電極幅が相対的に狭い放電セルが発光する色は青色および赤色であってもよい。
【００２０】
また、本発明は、走査電極および維持電極からなる表示電極対と幅の異なるデータ電極とを有する放電セルを複数備えたプラズマディスプレイパネルと、書込み期間と、輝度重みに応じた数の維持パルスを表示電極対に印加する維持期間とを有する複数のサブフィールドで１フィールドを構成してプラズマディスプレイパネルを駆動し、発光するサブフィールドと非発光のサブフィールドとの組合せを複数選択して構成する表示用組合せ集合を複数備え、表示用組合せ集合に属する組合せを用いて放電セルの発光・非発光を制御して階調を表示する駆動回路とを含むプラズマディスプレイ装置である。このプラズマディスプレイ装置において、駆動回路は、第１の表示用組合せ集合と、発光するサブフィールドと非発光のサブフィールドとの組合せの数が第１の表示用組合せ集合よりも少ない第２の表示用組合せ集合とを有する表示用組合せ集合を用いてプラズマディスプレイパネルに階調を表示する。そして、データ電極の電極幅が相対的に広い放電セルの階調値を画像データに変換する際には第１の表示用組合せ集合を用いる。また、データ電極の電極幅が相対的に狭い放電セルの階調値を画像データに変換する際には、第１の表示用組合せ集合または第２の表示用組合せ集合を用いる。
【００２１】
これにより、クロストークを抑制する効果を高めるとともに、クロストークが発生した場合に、パネルに表示される画像にクロストークが与える影響を抑制し、品質の高い画像をパネルに表示することができる。
【図面の簡単な説明】
【００２２】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置に用いるパネルの放電セルおよびデータ電極の配列を拡大して示す概略図である。
【図４】図４は、本発明の実施の形態１におけるプラズマディスプレイ装置に用いるパネルの各電極に印加する駆動電圧波形を概略的に示す図である。
【図５Ａ】図５Ａは、本発明の実施の形態１におけるプラズマディスプレイ装置に用いる第１のコーディングテーブルの一例を示す図である。
【図５Ｂ】図５Ｂは、本発明の実施の形態１におけるプラズマディスプレイ装置に用いる第２のコーディングテーブルの一例を示す図である。
【図６】図６は、本発明の実施の形態１におけるプラズマディスプレイ装置を構成する回路ブロックの一例を概略的に示す図である。
【図７】図７は、本発明の実施の形態１におけるプラズマディスプレイ装置に用いる画像信号処理回路の一構成例を概略的に示す図である。
【図８】図８は、各サブフィールドにおける書込み動作に必要な書込みパルス電圧Ｖｄの最低値を示す図である。
【図９Ａ】図９Ａは、本発明の実施の形態１におけるプラズマディスプレイ装置４０において、青の放電セルにおける書込み動作が不安定になりやすい発光パターンの一例を示す図である。
【図９Ｂ】図９Ｂは、本発明の実施の形態１におけるプラズマディスプレイ装置４０において、青の放電セルにおける書込み動作が不安定になりやすい発光パターンの他の一例を示す図である。
【図１０】図１０は、本発明の実施の形態２におけるプラズマディスプレイ装置に用いるパネルの放電セルおよびデータ電極の配列を拡大して示す概略図である。
【図１１】図１１は、本発明の実施の形態２におけるプラズマディスプレイ装置に用いる画像信号処理回路の一構成例を概略的に示す図である。
【発明を実施するための形態】
【００２３】
以下、本発明の実施の形態におけるプラズマディスプレイ装置について、図面を用いて説明する。
【００２４】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２５】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００２６】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００２７】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００２８】
放電空間は隔壁３４によって複数の区画に仕切られており、表示電極対２４とデータ電極３２とが交差する部分に放電セルが形成されている。
【００２９】
そして、これらの放電セルで放電を発生し、放電セルの蛍光体層３５を発光（放電セルを点灯）することにより、パネル１０にカラーの画像を表示する。
【００３０】
なお、パネル１０においては、表示電極対２４が延伸する方向に配列された連続する３つの放電セルで１つの画素を構成する。この３つの放電セルとは、蛍光体層３５Ｒを有し赤色（Ｒ）に発光する放電セル（赤の放電セル）と、蛍光体層３５Ｇを有し緑色（Ｇ）に発光する放電セル（緑の放電セル）と、蛍光体層３５Ｂを有し青色（Ｂ）に発光する放電セル（青の放電セル）である。
【００３１】
なお、パネル１０の構造は上述したものに限られるわけではなく、例えばストライプ状の隔壁を備えたものであってもよい。
【００３２】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。
【００３３】
そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３４】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００３５】
図３は、本発明の実施の形態１におけるプラズマディスプレイ装置に用いるパネルの放電セルおよびデータ電極の配列を拡大して示す概略図である。
【００３６】
図３に示すように、本実施の形態において、パネル１０では、赤の放電セルおよび緑の放電セルを構成するデータ電極３２の電極幅は相対的に広く、青の放電セルを構成するデータ電極３２の電極幅は相対的に狭い。このように、放電セルの発光色によってデータ電極３２の電極幅に差異を設けた理由については後述する。なお、パネル１０において、例えば、赤の放電セルおよび緑の放電セルを構成するデータ電極３２の電極幅は約９０μｍであり、青の放電セルを構成するデータ電極３２の電極幅は約７０μｍである。
【００３７】
なお、本実施の形態では、データ電極３２の電極幅にもとづき、「第１の色」および「第２の色」を設定する。具体的には、データ電極３２の電極幅が相対的に広い放電セルが発光する色を「第１の色」とし、データ電極３２の電極幅が相対的に狭い放電セルが発光する色を「第２の色」とする。図３に示す例では、「第１の色」は赤色および緑色であり、「第２の色」は青色である。
【００３８】
次に、パネル１０を駆動するための駆動電圧波形とその動作の概要について説明する。
【００３９】
本実施の形態におけるプラズマディスプレイ装置は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００４０】
なお、本実施の形態では、１フィールドを６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成し、サブフィールドＳＦ１からサブフィールドＳＦ６の各サブフィールドはそれぞれ（１、２、４、８、１６、３２）の輝度重みを有する例を説明する。
【００４１】
しかし、本発明は１フィールドを構成するサブフィールドの数、各サブフィールドが有する輝度重み等が上記した数値に限定されるものではない。例えば、１フィールドを１０のサブフィールド（サブフィールドＳＦ１、・・・、サブフィールドＳＦ１０）で構成し、サブフィールドＳＦ１からサブフィールドＳＦ１０の各サブフィールドがそれぞれ（１、２、３、６、１１、１８、３０、４４、６０、８１）の輝度重みを有する等、プラズマディスプレイ装置の仕様等に応じてサブフィールドの構成を適宜設定することが望ましい。
【００４２】
初期化期間では、放電セルに初期化放電を発生し、続く書込み期間における書込み放電に必要な壁電荷を各電極上に形成する初期化動作を行う。
【００４３】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００４４】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍数である。
【００４５】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００４６】
また、例えば、輝度倍数が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００４７】
こうして、画像信号に応じた組合せでサブフィールド毎に各放電セルの発光・非発光を制御して各サブフィールドを選択的に発光することにより、様々な階調値を表示し、画像をパネル１０に表示することができる。
【００４８】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い、他のサブフィールドの初期化期間においては、選択初期化動作を行う。以下、全セル初期化動作を行う初期化期間を「全セル初期化期間」と記し、全セル初期化期間を有するサブフィールドを「全セル初期化サブフィールド」と記す。また、選択初期化動作を行う初期化期間を「選択初期化期間」と記し、選択初期化期間を有するサブフィールドを「選択初期化サブフィールド」と記す。
【００４９】
そして、本実施の形態では、各フィールドの最初のサブフィールド（サブフィールドＳＦ１）を全セル初期化サブフィールドとし、他のサブフィールドは選択初期化サブフィールドとする。
【００５０】
これにより、少なくとも１フィールドに１回は全ての放電セルで初期化放電を発生するので、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【００５１】
しかし、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【００５２】
図４は、本発明の実施の形態１におけるプラズマディスプレイ装置に用いるパネル１０の各電極に印加する駆動電圧波形を概略的に示す図である。図４には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００５３】
また、図４には、サブフィールドＳＦ１、サブフィールドＳＦ２、サブフィールドＳＦ３の３つのサブフィールドの駆動電圧波形を示す。サブフィールドＳＦ１は全セル初期化動作を行うサブフィールドであり、サブフィールドＳＦ２、サブフィールドＳＦ３は選択初期化動作を行うサブフィールドである。したがって、サブフィールドＳＦ１と、サブフィールドＳＦ２およびサブフィールドＳＦ３とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２、サブフィールドＳＦ３の駆動電圧波形とほぼ同様である。
【００５４】
なお、本実施の形態は、１フィールドを構成するサブフィールドの数や各サブフィールドの輝度重みが上記の値に限定されるものではない。
【００５５】
まず、全セル初期化サブフィールドであるサブフィールドＳＦ１について説明する。
【００５６】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに上昇する上り傾斜波形電圧（ランプ電圧）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【００５７】
このランプ電圧が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【００５８】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに下降する下り傾斜波形電圧（ランプ電圧）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００５９】
このランプ電圧を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【００６０】
以上により、サブフィールドＳＦ１の初期化期間における全セル初期化動作が終了し、全ての放電セルにおいて、続く書込み動作に必要な壁電荷が各電極上に形成される。
【００６１】
続くサブフィールドＳＦ１の書込み期間では、維持電極ＳＵ１〜維持電極ＳＵｎには電圧Ｖｅ２を印加し、データ電極Ｄ１〜データ電極Ｄｍには電圧０（Ｖ）を印加し、走査電極ＳＣ１〜走査電極ＳＣｎには電圧Ｖｃを印加する。
【００６２】
次に、最初に書込み動作を行う１行目の走査電極ＳＣ１に負の電圧Ｖａの負極性の走査パルスを印加する。以下、この電圧Ｖａのことを「走査パルス電圧」とも記す。そして、データ電極Ｄ１〜データ電極Ｄｍのうちの１行目において発光するべき放電セルのデータ電極Ｄｋに正の電圧Ｖｄの正極性の書込みパルスを印加する。以下、この電圧Ｖｄのことを「書込みパルス電圧」とも記す。
【００６３】
書込みパルス電圧Ｖｄを印加したデータ電極Ｄｋと走査パルス電圧Ｖａを印加した走査電極ＳＣ１との交差部にある放電セルでは、データ電極Ｄｋと走査電極ＳＣ１との間に放電が発生する。
【００６４】
また、維持電極ＳＵ１〜維持電極ＳＵｎに電圧Ｖｅ２を印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルス電圧Ｖａと書込みパルス電圧Ｖｄとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【００６５】
このようにして、１行目の放電セルにおける書込み動作が終了する。なお、書込みパルス電圧Ｖｄを印加しなかった放電セルでは、書込み放電は発生しない。
【００６６】
次に、２行目の走査電極ＳＣ２に走査パルス電圧Ｖａを印加するとともに、２行目に発光するべき放電セルに対応するデータ電極Ｄｋに書込みパルス電圧Ｖｄを印加し、２行目の放電セルにおける書込み動作を行う。
【００６７】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。
【００６８】
なお、図４には、維持電極ＳＵ１〜維持電極ＳＵｎに、初期化期間後半には電圧Ｖｅ１を印加し、書込み期間には電圧Ｖｅ２を印加する構成を示したが、この電圧Ｖｅ１と電圧Ｖｅ２とは互いに等しい電圧値であってもよい。
【００６９】
続くサブフィールドＳＦ１の維持期間では、まず維持電極ＳＵ１〜維持電極ＳＵｎに電圧０（Ｖ）を印加する。そして、走査電極ＳＣ１〜走査電極ＳＣｎに正の電圧Ｖｓの維持パルスを印加する。以下、この電圧Ｖｓのことを「維持パルス電圧」とも記す。
【００７０】
この維持パルス電圧Ｖｓの印加により、書込み放電を発生した放電セルでは、走査電極ＳＣｉと維持電極ＳＵｉとの電圧差が放電開始電圧を超え、維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【００７１】
続いて、走査電極ＳＣ１〜走査電極ＳＣｎには電圧０（Ｖ）を印加し、維持電極ＳＵ１〜維持電極ＳＵｎには維持パルス電圧Ｖｓを印加する。直前に維持放電を発生した放電セルでは再び維持放電が発生し、維持電極ＳＵｉ上に負の壁電圧が蓄積され、走査電極ＳＣｉ上に正の壁電圧が蓄積される。
【００７２】
以降同様に、走査電極ＳＣ１〜走査電極ＳＣｎと維持電極ＳＵ１〜維持電極ＳＵｎとに、輝度重みに所定の輝度倍数を乗じた数の維持パルスを交互に印加する。こうして、書込み期間において書込み放電を発生した放電セルは、輝度重みに応じた輝度で発光する。
【００７３】
そして、維持期間における維持パルスの発生後に、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎに電圧０（Ｖ）から電圧Ｖｒに向かって緩やかに上昇する傾斜波形電圧（ランプ電圧）を印加する。
【００７４】
このランプ電圧を走査電極ＳＣ１〜走査電極ＳＣｎへ印加する間に、維持放電を発生した放電セルに微弱な放電が発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【００７５】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００７６】
以上により、サブフィールドＳＦ１が終了する。
【００７７】
次に、選択初期化サブフィールドであるサブフィールドＳＦ２について説明する。
【００７８】
サブフィールドＳＦ２の初期化期間では、維持電極ＳＵ１〜維持電極ＳＵｎには電圧Ｖｅ１を印加し、データ電極Ｄ１〜データ電極Ｄｍには電圧０（Ｖ）を印加する。走査電極ＳＣ１〜走査電極ＳＣｎには放電開始電圧未満となる電圧（例えば、電圧０（Ｖ））から負の電圧Ｖｉ４に向かって緩やかに下降する傾斜波形電圧（ランプ電圧）を印加する。電圧Ｖｉ４は、維持電極ＳＵ１〜維持電極ＳＵｎに対して放電開始電圧を超える電圧に設定する。
【００７９】
このランプ電圧を走査電極ＳＣ１〜走査電極ＳＣｎに印加する間に、直前のサブフィールド（図４では、サブフィールドＳＦ１）の維持期間に維持放電を発生した放電セルでは、微弱な初期化放電が発生する。そして、この初期化放電により、走査電極ＳＣｉ上および維持電極ＳＵｉ上の壁電圧が弱められる。また、データ電極Ｄｋ上に蓄積された壁電圧の過剰な部分が放電され、データ電極Ｄｋ上の壁電圧は書込み動作に適した壁電圧に調整される。
【００８０】
一方、直前のサブフィールド（サブフィールドＳＦ１）の維持期間に維持放電を発生しなかった放電セルでは、初期化放電は発生せず、それ以前の壁電圧が保たれる。
【００８１】
このように、サブフィールドＳＦ２における初期化動作は、直前のサブフィールドの書込み期間で書込み動作を行った放電セルで選択的に初期化放電を発生する選択初期化動作となる。
【００８２】
以上により、サブフィールドＳＦ２の初期化期間における選択初期化動作が終了する。
【００８３】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【００８４】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【００８５】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【００８６】
以上が、本実施の形態においてパネル１０の各電極に印加する駆動電圧波形の概要である。
【００８７】
次に、パネル１０に階調を表示する方法について説明する。
【００８８】
本実施の形態では、上述したように、あらかじめ輝度重みが設定された複数のサブフィールドで１フィールドを構成する。そして、放電セルに表示する階調値の大きさに応じてサブフィールドを選択的に発光させることで、階調値に応じた明るさで各放電セルを発光させ、パネル１０に画像を表示する。以下、発光させるサブフィールドを「点灯サブフィールド」、非発光のサブフィールドを「非点灯サブフィールド」とも記す。
【００８９】
１フィールドにおける点灯サブフィールドと非点灯サブフィールドとの組合せは複数ある。以下、１フィールドにおける点灯サブフィールドと非点灯サブフィールドとの組合せのことを「コーディング」と呼称する。そして、本実施の形態では、それら複数のコーディングの中から、階調を表示するために用いるコーディング（表示用コーディング）を複数選択し、表示用組合せ集合を作成する。以下、表示用組合せ集合を「コーディングテーブル」と呼称する。
【００９０】
そして、コーディングテーブルに属するコーディングにもとづき各サブフィールドの発光・非発光を制御し、放電セルを階調値の大きさに応じた輝度で発光させて、パネル１０に画像を表示する。
【００９１】
次に、本実施の形態において用いるコーディングテーブルについて説明する。
【００９２】
なお、以下の説明では、黒を表示するときの階調値（維持放電が発生しないときの階調値）を「０」とする。また、輝度重み「Ｎ」に対応する階調値を階調値「Ｎ」と表記する。
【００９３】
したがって、例えば、輝度重み「１」のサブフィールドＳＦ１だけが発光する放電セルが表示する階調値は階調値「１」となる。また、輝度重み「１」のサブフィールドＳＦ１と輝度重み「２」のサブフィールドＳＦ２だけが発光する放電セルが表示する階調値は、１＋２＝３なので階調値「３」となる。
【００９４】
本実施の形態におけるプラズマディスプレイ装置は、コーディングの数が異なる複数のコーディングテーブルを備えている。すなわち、本実施の形態におけるプラズマディスプレイ装置は、パネル１０に表示できる階調の数が互いに異なる複数のコーディングテーブルを備えている。
【００９５】
図５Ａは、本発明の実施の形態１におけるプラズマディスプレイ装置に用いる第１のコーディングテーブルの一例を示す図である。
【００９６】
図５Ｂは、本発明の実施の形態１におけるプラズマディスプレイ装置に用いる第２のコーディングテーブルの一例を示す図である。
【００９７】
第１のコーディングテーブルは「第１の表示用組合せ集合」であり、第２のコーディングテーブルは「第２の表示用組合せ集合」である。
【００９８】
なお、図５Ａ、図５Ｂに示すコーディングテーブルにおいて各サブフィールドを示す表記の直下に記された数値は、各サブフィールドの輝度重みを表す。図５Ａ、図５Ｂに示すコーディングテーブルにおいてサブフィールドＳＦ１からサブフィールドＳＦ６の各サブフィールドはそれぞれ「１」、「２」、「４」、「８」、「１６」、「３２」の輝度重みを有する。
【００９９】
図５Ａ、図５Ｂに示すコーディングテーブルには、発光するサブフィールドを「○」、非発光のサブフィールドを空欄で示し、最も左の列には、各コーディングにおいて表示する階調の値を表す。
【０１００】
例えば、図５Ａに示すコーディングテーブルにもとづけば、階調値「３」を表示する放電セルではサブフィールドＳＦ１およびサブフィールドＳＦ２が発光する。あるいは、階調値「２３」を表示する放電セルでは、サブフィールドＳＦ１、サブフィールドＳＦ２、サブフィールドＳＦ３およびサブフィールドＳＦ５が発光する。
【０１０１】
図５Ａに示す第１のコーディングテーブルは、「階調値「１」以上を表示する放電セルでは必ずサブフィールドＳＦ１が発光する」という規則を有するコーディングの集合である。この規則は、「サブフィールドＳＦ１で発光しなかった放電セルはサブフィールドＳＦ２以降でも発光しない」と言い換えることができる。さらに、この規則は、「サブフィールドＳＦ２が発光する放電セルではサブフィールドＳＦ１も必ず発光する」と言い換えることができる。
【０１０２】
すなわち、第１のコーディングテーブルは、特定のサブフィールドが発光しなければ特定のサブフィールド以降のサブフィールドも発光しないように、発光するサブフィールドと非発光のサブフィールドとを組合せており、第１のコーディングテーブルにおける特定のサブフィールドはサブフィールドＳＦ１である。
【０１０３】
したがって、図５Ａに示す第１のコーディングテーブルでは、階調値「１」以上を表示する放電セルでは必ずサブフィールドＳＦ１が発光する。この規則に従えば、図５Ａに示すように、サブフィールドＳＦ１からサブフィールドＳＦ６までの６つのサブフィールドで３３通りの階調値を表示することができる。
【０１０４】
図５Ｂに示す第２のコーディングテーブルは、「階調値「１」以上を表示する放電セルでは必ずサブフィールドＳＦ１が発光し、階調値「３」以上を表示する放電セルでは必ずサブフィールドＳＦ２が発光し、階調値「７」以上を表示する放電セルでは必ずサブフィールドＳＦ３が発光する」という規則を有するコーディングの集合である。この規則は、「サブフィールドＳＦ１で発光しなかった放電セルはサブフィールドＳＦ２以降でも発光せず、サブフィールドＳＦ２で発光しなかった放電セルはサブフィールドＳＦ３以降でも発光せず、サブフィールドＳＦ３で発光しなかった放電セルはサブフィールドＳＦ４以降でも発光しない」と言い換えることができる。さらに、この規則は、「サブフィールドＳＦ４が発光する放電セルではサブフィールドＳＦ１およびサブフィールドＳＦ２およびサブフィールドＳＦ３も必ず発光する」と言い換えることができる。
【０１０５】
すなわち、第２のコーディングテーブルは、特定のサブフィールドが発光しなければ特定のサブフィールド以降のサブフィールドも発光しないように、発光するサブフィールドと非発光のサブフィールドとを組合せており、第２のコーディングテーブルにおける特定のサブフィールドはサブフィールドＳＦ１、サブフィールドＳＦ、サブフィールドＳＦ３である。したがって、第２のコーディングテーブルにおける特定のサブフィールドの数は、第１のコーディングテーブルにおける特定のサブフィールドの数よりも多い。
【０１０６】
図５Ｂに示す第２のコーディングテーブルでは、階調値「７」以上を表示する放電セルでは必ずサブフィールドＳＦ１およびサブフィールドＳＦ２およびサブフィールドＳＦ３が発光する。この規則に従えば、図５Ｂに示すように、サブフィールドＳＦ１からサブフィールドＳＦ６までの６つのサブフィールドで１１通りの階調値を表示することができる。
【０１０７】
なお、図５Ａに示した第１のコーディングテーブルでは、パネル１０に表示可能な３３通りの階調値のうち、発光するサブフィールドと発光するサブフィールドとの間に非発光のサブフィールドが発生する階調値は２６通りである。一方、図５Ｂに示した第２のコーディングテーブルでは、パネル１０に表示可能な１１通りの階調値のうち、発光するサブフィールドと発光するサブフィールドとの間に非発光のサブフィールドが発生する階調値は４通りである。
【０１０８】
したがって、第２のコーディングテーブルを用いてパネル１０に階調を表示するときの方が、第１のコーディングテーブルを用いてパネル１０に階調を表示するときよりも、発光するサブフィールドが連続して発生する確率が高くなる。そのため、第２のコーディングテーブルを用いてパネル１０に階調を表示するときには、より安定に書込み動作を行うことができる。
【０１０９】
なお、第１のコーディングテーブル、第２のコーディングテーブルのそれぞれにおける規則は、「１フィールドにおいて、特定のサブフィールドで発光しない放電セルは、特定のサブフィールド以降のサブフィールドでも発光しない」と言い換えることができる。そして、第１のコーディングテーブルにおいて特定のサブフィールドはサブフィールドＳＦ１であり、第２のコーディングテーブルにおいて特定のサブフィールドはサブフィールドＳＦ１、サブフィールドＳＦ２、サブフィールドＳＦ３である。
【０１１０】
したがって、特定のサブフィールドの数が多い第２のコーディングテーブルの方が、特定のサブフィールドの数が少ない第１のコーディングテーブルよりも、パネル１０に表示可能な階調値の数が少なくなる。
【０１１１】
なお、図５Ａに示した第１のコーディングテーブルにもとづきパネル１０に画像を表示するときには、階調値「２」、階調値「４」、階調値「６」等の偶数値の階調値を用いることができない。また、図５Ｂに示した第２のコーディングテーブルにもとづきパネル１０に画像を表示するときには、階調値「２」、階調値「４」、階調値「５」、階調値「６」、階調値「８」、階調値「９」、階調値「１０」等の階調値を用いることができない。しかし、これらの階調値は、一般に知られたディザ処理や誤差拡散処理等の技術を用いて擬似的にパネル１０に表示することができる。
【０１１２】
そして、本実施の形態においては、画像信号にもとづき、図５Ａに示した第１のコーディングテーブルと、図５Ｂに示した第２のコーディングテーブルとを切り換えながら、画像信号を画像データに変換する。
【０１１３】
図６は、本発明の実施の形態１におけるプラズマディスプレイ装置４０を構成する回路ブロックの一例を概略的に示す図である。
【０１１４】
本実施の形態に示すプラズマディスプレイ装置４０は、パネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【０１１５】
画像信号処理回路４１は、赤の画像信号、緑の画像信号、青の画像信号が入力される。そして、画像信号処理回路４１は、入力された画像信号にもとづき、各放電セルに階調値を割り当て、その階調値を、サブフィールド毎の発光・非発光を示す画像データ（発光・非発光をデジタル信号の「１」、「０」に対応させたデータのこと）に変換する。このとき、画像信号処理回路４１は、上述した第１のコーディングテーブルまたは第２のコーディングテーブルにもとづき、画像データを発生する。
【０１１６】
すなわち、画像信号処理回路４１は、赤の画像信号、緑の画像信号、青の画像信号を、第１のコーディングテーブルまたは第２のコーディングテーブルにもとづき、赤の画像データ、緑の画像データ、青の画像データに変換して出力する。例えば、画像信号処理回路４１は、階調値「３」を表示する場合には画像データ「１１００００」を出力し、階調値「２３」を表示する場合には画像データ「１１１０１０」を出力する。
【０１１７】
なお、この画像データは、サブフィールドＳＦ１、サブフィールドＳＦ２、サブフィールドＳＦ３、サブフィールドＳＦ４、サブフィールドＳＦ５、サブフィールドＳＦ６の順に並んでいるものとする。
【０１１８】
タイミング発生回路４５は、水平同期信号、垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【０１１９】
データ電極駆動回路４２は、画像信号処理回路４１から出力される各色の画像データおよびタイミング発生回路４５から供給されるタイミング信号にもとづき、各データ電極Ｄ１〜データ電極Ｄｍに対応する書込みパルスを発生する。そして、データ電極駆動回路４２は、その書込みパルスを書込み期間に各データ電極Ｄ１〜データ電極Ｄｍに印加する。
【０１２０】
走査電極駆動回路４３は、初期化波形発生回路、維持パルス発生回路、走査パルス発生回路（図６には示さず）を備え、タイミング発生回路４５から供給されるタイミング信号にもとづいて駆動電圧波形を作成し、走査電極ＳＣ１〜走査電極ＳＣｎのそれぞれに印加する。初期化波形発生回路は、タイミング信号にもとづき、初期化期間に、走査電極ＳＣ１〜走査電極ＳＣｎに印加する初期化波形を発生する。維持パルス発生回路は、タイミング信号にもとづき、維持期間に、走査電極ＳＣ１〜走査電極ＳＣｎに印加する維持パルスを発生する。走査パルス発生回路は、複数の走査電極駆動ＩＣ（走査ＩＣ）を備え、タイミング信号にもとづき、書込み期間に、走査電極ＳＣ１〜走査電極ＳＣｎに印加する走査パルスを発生する。
【０１２１】
維持電極駆動回路４４は、維持パルス発生回路、および電圧Ｖｅ１、電圧Ｖｅ２を発生する回路（図６には示さず）を備え、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【０１２２】
図７は、本発明の実施の形態１におけるプラズマディスプレイ装置４０に用いる画像信号処理回路４１の一構成例を概略的に示す図である。なお、図７には、本実施の形態に示す各動作に関連する回路ブロックのみを示し、それ以外の回路ブロックは省略している。
【０１２３】
以下、コーディングテーブルを単に「テーブル」と記し、第１のコーディングテーブルを「第１テーブル」、第２のコーディングテーブルを「第２テーブル」と記す。
【０１２４】
画像信号処理回路４１は、赤の画像信号に対応する第１テーブルを記憶した記憶装置（以下、「第１テーブル５２Ｒ」と記す）と、緑の画像信号に対応する第１テーブルを記憶した記憶装置（以下、「第１テーブル５２Ｇ」と記す）と、青の画像信号に対応する第１テーブルを記憶した記憶装置（以下、「第１テーブル５２Ｂ」と記す）と、青の画像信号に対応する第２テーブルを記憶した記憶装置（以下、「第２テーブル５３Ｂ」と記す）と、赤の画像信号に対応するデータ変換部５４Ｒと、緑の画像信号に対応するデータ変換部５４Ｇと、青の画像信号に対応するデータ変換部５４Ｂと、テーブル判定部５５と、セレクタ５６Ｂとを有する。
【０１２５】
テーブルを記憶した各記憶装置は、内部に記憶した各コーディングのデータを階調値に応じて任意に読み出すことができる。
【０１２６】
なお、図７には示していないが、画像信号処理回路４１は、赤の画像信号に対応する階調値変換部と、緑の画像信号に対応する階調値変換部と、青の画像信号に対応する階調値変換部とを有する。
【０１２７】
赤の画像信号に対応する階調値変換部は、赤の画像信号に応じた画像をパネル１０に表示するために、必要な信号処理、例えばパネル１０の画素数に応じた画素数変換やガンマ補正等の信号処理を赤の画像信号に施す。そして、信号処理を施した赤の画像信号を赤の階調値に変換する。
【０１２８】
緑の画像信号に対応する階調値変換部は、上述と同様に、緑の画像信号に、必要な信号処理を施し、緑の階調値に変換する。青の画像信号に対応する階調値変換部は、上述と同様に、青の画像信号に、必要な信号処理を施し、青の階調値に変換する。
【０１２９】
なお、赤の画像信号に対応する階調値変換部、緑の画像信号に対応する階調値変換部、青の画像信号に対応する階調値変換部は、１つの画素を構成する赤の階調値と緑の階調値と青の階調値とが同時に出力されるように、互いに同期して動作している。
【０１３０】
データ変換部５４Ｒは、赤の画像信号に対応する階調値変換部から出力される赤の階調値にもとづき、第１テーブル５２Ｒからコーディングのデータを読み出す。そして、読み出したデータを赤の画像データとして出力する。
【０１３１】
データ変換部５４Ｇは、緑の画像信号に対応する階調値変換部から出力される緑の階調値にもとづき、第１テーブル５２Ｇからコーディングのデータを読み出す。そして、読み出したデータを緑の画像データとして出力する。
【０１３２】
テーブル判定部５５は、コンパレータ６１と、コンパレータ６２と、ＯＲゲート６３とを有する。
【０１３３】
コンパレータ６１は、赤の画像信号に対応する階調値変換部から出力される赤の階調値と所定のしきい値とを比較する。本実施の形態において、所定のしきい値は、例えば「３」に設定される。そして、コンパレータ６１は、赤の階調値が所定のしきい値以上（例えば、赤の階調値が「３」以上）であれば「Ｈ」レベルを出力し、赤の階調値が所定のしきい値未満（例えば、赤の階調値が「３」未満）であれば「Ｌ」レベルを出力する。
【０１３４】
コンパレータ６２は、緑の画像信号に対応する階調値変換部から出力される緑の階調値と所定のしきい値とを比較する。本実施の形態において、所定のしきい値は、上述と同様に、例えば「３」に設定される。そして、コンパレータ６２は、緑の階調値が所定のしきい値以上（例えば、緑の階調値が「３」以上）であれば「Ｈ」レベルを出力し、緑の階調値が所定のしきい値未満（例えば、緑の階調値が「３」未満）であれば「Ｌ」レベルを出力する。
【０１３５】
ＯＲゲート６３は、コンパレータ６１の出力とコンパレータ６２の出力との論理和演算を行い、その結果を出力する。すなわち、ＯＲゲート６３は、コンパレータ６１の出力とコンパレータ６２の出力とがともに「Ｌ」レベルのときに「Ｌ」レベルを出力し、それ以外では「Ｈ」レベルを出力する。
【０１３６】
したがって、ＯＲゲート６３は、本実施の形態においては、赤の階調値および緑の階調値の少なくとも一方が所定のしきい値以上（例えば、階調値「３」以上）であれば、「Ｈ」レベルを出力する。そして、ＯＲゲート６３の出力がテーブル判定部５５の出力としてセレクタ５６Ｂに入力される。
【０１３７】
セレクタ５６Ｂは、テーブル判定部５５から出力される信号にもとづき第１テーブル５２Ｂと第２テーブル５３Ｂのいずれか一方を選択する。本実施の形態におけるセレクタ５６Ｂは、テーブル判定部５５の出力が「Ｈ」レベルであれば第２テーブル５３Ｂを選択し、テーブル判定部５５の出力が「Ｌ」レベルであれば第１テーブル５２Ｂを選択する。
【０１３８】
データ変換部５４Ｂは、青の画像信号に対応する階調値変換部から出力される青の階調値にもとづき、セレクタ５６Ｂにおいて選択された方のテーブルからコーディングのデータを読み出す。例えば、セレクタ５６Ｂにおいて第１テーブル５２Ｂが選択されていれば、階調値変換部から出力される青の階調値にもとづき第１テーブル５２Ｂからコーディングのデータを読み出す。セレクタ５６Ｂにおいて第２テーブル５３Ｂが選択されていれば、階調値変換部から出力される青の階調値にもとづき、第２テーブル５３Ｂからコーディングのデータを読み出す。そして、読み出したデータを青の画像データとして出力する。
【０１３９】
したがって、本実施の形態において、データ変換部５４Ｂは、赤の階調値および緑の階調値の少なくとも一方が所定のしきい値以上（例えば、階調値「３」以上）であれば、第２テーブルにもとづき青の階調値を青の画像データに変換する。また、データ変換部５４Ｂは、赤の階調値および緑の階調値がともに所定のしきい値未満（例えば、階調値「３」未満）であれば、第１テーブルにもとづき青の階調値を青の画像データに変換する。
【０１４０】
次に、本実施の形態に示す画像信号処理回路４１が上述した動作を行う理由について説明する。
【０１４１】
図８は、各サブフィールドにおける書込み動作に必要な書込みパルス電圧Ｖｄの最低値を示す図である。図８において、縦軸は安定な書込み動作に必要な書込みパルス電圧Ｖｄの最低値を表し、横軸はサブフィールドを表す。また、図８には、赤の放電セル、緑の放電セル、青の放電セルのそれぞれにおけるサブフィールド毎の書込み動作に必要な書込みパルス電圧Ｖｄの最低値を示す。
【０１４２】
ひとつの放電セルから他の放電セルへ電荷が移動するクロストーク現象が発生すると、放電セル内の壁電荷が減少する。そのため、その放電セルでは、書込みに必要な書込みパルス電圧Ｖｄの最低値が上昇する。したがって、書込み動作に必要な書込みパルス電圧Ｖｄの最小の電圧値を測定することで、クロストークを定量化することができる。
【０１４３】
図８に示すグラフは次のようにして測定した結果をまとめたものである。まず、１つの画素を構成する３つの放電セルのうち、特定のサブフィールドにおいて注目する１つの放電セル（注目放電セル）を発光させず、かつ、他の２つの放電セルを発光させる。次に、次のサブフィールドにおける注目放電セルの書込みに必要な書込みパルス電圧の最低値を測定する。
【０１４４】
したがって、図８には、サブフィールドＳＦ２以降における測定結果が示されている。また、図８に示すグラフは、パネル１０の赤、緑、青の各放電セルにおけるクロストークの特性を示すものである。
【０１４５】
なお、図８にＡＡで示す特性は、注目放電セルを青の放電セルとしたときの測定結果を表したものであり、図８にＢＢで示す特性は、注目放電セルを赤の放電セルとしたときの測定結果を表したものであり、図８にＣＣで示す特性は、注目放電セルを緑の放電セルとしたときの測定結果を表したものである。
【０１４６】
図８に示す測定結果では、パネル１０においては、青の放電セルにおける書込みパルス電圧Ｖｄの最低値は、赤の放電セルおよび緑の放電セルよりも高い。この結果から、青の放電セルにおける壁電荷は他の放電セルよりも減少しやすく、青の放電セルにおけるクロストークは他の放電セルにおけるクロストークよりも発生量が多いと考えられる。
【０１４７】
これは、次のことが原因と考えられる。
【０１４８】
図３に示したように、本実施の形態におけるパネル１０では、赤の放電セルおよび緑の放電セルを構成するデータ電極３２の電極幅は相対的に広く、青の放電セルを構成するデータ電極３２の電極幅は相対的に狭い。
【０１４９】
データ電極３２の電極幅を広くすると、書込み放電をより安定に発生させることができる。しかし、その一方で、発生した書込み放電が隣接する放電セルに及ぼす影響（例えば、壁電荷に与える影響等）は、相対的に大きくなる。
【０１５０】
データ電極３２の電極幅を狭くすると、データ電極３２の電極幅を広くした放電セルと比較して、書込み放電は不安定になりやすい。しかし、その一方で、発生した書込み放電が隣接する放電セルに及ぼす影響は、相対的に小さくなる。
【０１５１】
したがって、データ電極３２の電極幅が相対的に広い赤の放電セルおよび緑の放電セルでは、書込み放電をより安定に発生させることができ、書込み動作に必要な書込みパルス電圧Ｖｄの最小値も相対的に低くすることができる。
【０１５２】
一方、データ電極３２の電極幅が相対的に狭い青の放電セルでは、赤の放電セルおよび緑の放電セルと比較して書込み放電が不安定になりやすい。そのため、書込み動作に必要な書込みパルス電圧Ｖｄの最小値は相対的に高くなる。
【０１５３】
さらに、青の放電セルで発生する書込み放電が、隣接する赤の放電セルおよび緑の放電セルに及ぼす影響は、相対的に小さい。すなわち、赤の放電セルおよび緑の放電セルでは、青の放電セルで発生する書込み放電に起因するクロストークの発生量は比較的小さい。このことも、赤の放電セルおよび緑の放電セルにおいて、書込み動作に必要な書込みパルス電圧Ｖｄの最小値を相対的に低くする一因となっている。
【０１５４】
逆に、赤の放電セルおよび緑の放電セルで発生する書込み放電が、隣接する青の放電セルに及ぼす影響は、相対的に大きい。すなわち、青の放電セルでは、赤の放電セルおよび緑の放電セルで発生する書込み放電に起因するクロストークの発生量が比較的大きい。このことが、青の放電セルにおいて、書込み動作に必要な書込みパルス電圧Ｖｄの最小値を相対的に高くする一因となっている。
【０１５５】
なお、全ての放電セルのデータ電極３２の電極幅を一様に広く設定したパネルと比較して、１画素を構成する３色の放電セルのうち、１色の放電セル（青の放電セル）のデータ電極３２の電極幅を他の放電セルと比較して狭くしたパネルの方がクロストークの発生量を抑制できることが発明者によって確認された。このことが、本実施の形態におけるパネル１０において、青の放電セルのデータ電極３２の電極幅を他の放電セルと比較して狭くした理由である。
【０１５６】
また、上述したように、本実施の形態では、データ電極３２の電極幅を他の放電セルと比較して狭くした放電セルの色の階調値を画像データに変換するときには第２テーブルを使用する。そして、第２テーブルは第１テーブルと比較して、パネル１０に表示できる階調の数が少なく、画像信号にディザ処理を施したときにノイズが発生しやすい。そして、人間の視覚特性は、青の画像の方が赤の画像や緑の画像よりもノイズを知覚しにくいことが確認されている。このことが、本実施の形態において、データ電極３２の電極幅を狭くする放電セルを青の放電セルとした理由である。
【０１５７】
また、図８に示すように、青の放電セルに関しては、サブフィールドＳＦ２およびサブフィールドＳＦ３における書込み動作に必要な書込みパルス電圧Ｖｄの最小値は他のサブフィールドよりも高い。このことから、青の放電セルにおいて、サブフィールドＳＦ２およびサブフィールドＳＦ３では、他のサブフィールドよりもクロストークが発生しやすいといえる。
【０１５８】
これは、１つの画素を構成する３つの放電セルのうち、サブフィールドＳＦ２またはサブフィールドＳＦ３において、青の放電セルが発光せずに他の色の放電セルが発光したときに、それ以降のサブフィールドにおいて青の放電セルでの書込み動作が不安定となりやすく、維持放電が発生しない可能性があることを示している。
【０１５９】
このような発光パターンの一例を図９Ａ、図９Ｂに示す。
【０１６０】
図９Ａは、本発明の実施の形態１におけるプラズマディスプレイ装置４０において、青の放電セルにおける書込み動作が不安定になりやすい発光パターンの一例を示す図である。
【０１６１】
図９Ｂは、本発明の実施の形態１におけるプラズマディスプレイ装置４０において、青の放電セルにおける書込み動作が不安定になりやすい発光パターンの他の一例を示す図である。
【０１６２】
なお、図９Ａ、図９Ｂには、発光するサブフィールドを「○」、非発光のサブフィールドを空欄で示す。
【０１６３】
例えば、赤の放電セルで階調値「２７」を表示し、緑の放電セルで階調値「１５」を表示し、青の放電セルで階調値「２９」を表示するときに、図５Ａに示した第１テーブルを用いて階調値を画像データに変換する例を考える。
【０１６４】
この場合、図９Ａに示すように、サブフィールドＳＦ２では赤の放電セルおよび緑の放電セルが発光し、青の放電セルは発光しない。そのため、上述した理由により、青の放電セルではサブフィールドＳＦ３以降のサブフィールドにおいて書込み動作が不安定になりやすく、維持放電が発生しない可能性がある。仮に青の放電セルにおいてサブフィールドＳＦ３以降の全てのサブフィールドで維持放電が発生しなければ、階調値「２９」を表示すべき青の放電セルに実際に表示される階調値は「１」となる。
【０１６５】
あるいは、赤の放電セルで階調値「３１」を表示し、緑の放電セルで階調値「５５」を表示し、青の放電セルで階調値「２７」を表示するときに、図５Ａに示した第１テーブルを用いて階調値を画像データに変換する例を考える。
【０１６６】
この場合、図９Ｂに示すように、サブフィールドＳＦ３では赤の放電セルおよび緑の放電セルが発光し、青の放電セルは発光しない。そのため、上述した理由により、青の放電セルではサブフィールドＳＦ４以降のサブフィールドにおいて書込み動作が不安定になりやすく、維持放電が発生しない可能性がある。仮に青の放電セルにおいてサブフィールドＳＦ４以降の全てのサブフィールドで維持放電が発生しなければ、階調値「２７」を表示すべき青の放電セルに実際に表示される階調値は「３」となる。
【０１６７】
青の放電セルにおいて、クロストークを低減し、安定に書込み動作を行うためには、「青の放電セルが発光せずに赤の放電セルおよび緑の放電セルの少なくとも一方が発光するサブフィールドが発生し、かつ、そのサブフィールド以降のサブフィールドにおいて青の放電セルが発光する」発光パターンが発生しないように画像データを作成すればよい。特に、青の放電セルにおいてクロストークが比較的発生しやすいサブフィールドＳＦ２、サブフィールドＳＦ３において、このような発光パターンが発生しないようにすることが望ましい。
【０１６８】
そこで、本実施の形態におけるプラズマディスプレイ装置４０では、赤の階調値および緑の階調値の少なくとも一方が所定のしきい値以上（例えば、階調値「３」以上）であれば、第２テーブルにもとづき青の階調値を青の画像データに変換する。
【０１６９】
第２テーブルには、サブフィールドＳＦ２およびサブフィールドＳＦ３の少なくとも一方が発光し、サブフィールドＳＦ４、サブフィールドＳＦ５、サブフィールドＳＦ６のいずれかが発光するというコーディングは含まれない。すなわち、第２テーブルにもとづく画像データでは、階調値「１」以上の全ての階調値でサブフィールドＳＦ１が発光し、階調値「３」以上の全ての階調値でサブフィールドＳＦ２が発光し、階調値「７」以上の全ての階調値でサブフィールドＳＦ３が発光する。
【０１７０】
したがって、上述の動作により、「サブフィールドＳＦ２、サブフィールドＳＦ３において、青の放電セルが発光せずに赤の放電セルおよび緑の放電セルの少なくとも一方が発光し、かつ、それ以降のサブフィールドにおいて青の放電セルが発光する」という発光パターンがプラズマディスプレイ装置４０に発生することを防止することができる。
【０１７１】
これにより、クロストークが比較的発生しやすい青の放電セルにおいて、クロストークを低減し、安定に書込み動作を行うことが可能となる。
【０１７２】
なお、第２テーブルを用いて画像データを作成すると、パネル１０に表示できる階調値の数が相対的に少なくなるが、表示できない階調値に関しては、上述したように、一般に知られたディザ処理や誤差拡散処理等の技術を用いて擬似的にパネル１０に表示することができる。
【０１７３】
なお、本実施の形態では、青の放電セルにクロストークが発生しにくい発光パターンのとき、すなわち、赤の階調値および緑の階調値がともに所定のしきい値未満（例えば、階調値「３」未満）であれば、第１テーブルにもとづき青の階調値を青の画像データに変換する。
【０１７４】
これにより、常に第２テーブルにもとづき青の階調値を青の画像データに変換する構成と比較して、青の放電セルで表示できる階調値の数を相対的に増やすことができる。したがって、青の放電セルにクロストークが発生しにくいときには、青の放電セルで表示できる階調値の数を相対的に増やし、プラズマディスプレイ装置４０における画像表示品質を向上することができる。
【０１７５】
以上示したように、本実施の形態では、データ電極３２の電極幅にもとづき、「第１の色」および「第２の色」を設定する。すなわち、データ電極３２の電極幅が相対的に広い放電セルが発光する色を「第１の色」とし、データ電極３２の電極幅が相対的に狭い放電セルが発光する色を「第２の色」とする。
【０１７６】
そして、「第２の色」の放電セルに関しては、第１テーブルおよび第２テーブルのいずれかのテーブルにもとづき階調値を画像データに変換し、その画像データにもとづき各サブフィールドの発光・非発光を制御する。「第１の色」の放電セルに関しては、第１テーブルにもとづき階調値を画像データに変換し、その画像データにもとづき各サブフィールドの発光・非発光を制御する。
【０１７７】
このとき、「第１の色」の階調値の少なくとも一方が所定のしきい値以上であれば、第２テーブルにもとづき「第２の色」の階調値を画像データに変換し、「第１の色」の階調値がともに所定のしきい値未満であれば、第１テーブルにもとづき「第２の色」の階調値を画像データに変換する。
【０１７８】
例えば、「第２の色」が青色であれば、青の階調値を画像データに変換する際に、「他の色」は「第１の色」である赤色および緑色である。そして、赤の階調値および緑の階調値の少なくとも一方が所定のしきい値以上であれば、第２テーブルにもとづき青の階調値を青の画像データに変換し、赤の階調値および緑の階調値がともに所定のしきい値未満であれば、第１テーブルにもとづき青の階調値を青の画像データに変換する。
【０１７９】
そして、第２テーブルを用いてパネル１０に階調を表示するときの方が、第１テーブルを用いてパネル１０に階調を表示するときよりも、発光するサブフィールドが連続して発生する確率が高くなるように、第２テーブルを設定する。
【０１８０】
これにより、データ電極３２の電極幅が相対的に狭く、比較的クロストークが発生しやすい色の放電セルにおいて、クロストークの発生を防止し、高品質の画像をパネル１０に表示することが可能になる。
【０１８１】
なお、本実施の形態では、赤の放電セルおよび緑の放電セルを構成するデータ電極３２の電極幅が相対的に広く、青の放電セルを構成するデータ電極３２の電極幅が相対的に狭いパネル１０を例に挙げ、「第１の色」を赤色および緑色に設定し、「第２の色」を青色に設定して各動作を説明した。しかし、本発明は何らこの構成に限定されるものではない。例えば、青の放電セルおよび緑の放電セルを構成するデータ電極３２の電極幅が相対的に広く、赤の放電セルを構成するデータ電極３２の電極幅が相対的に狭ければ、「第１の色」を青色および緑色に設定し、「第２の色」を赤色に設定すればよい。あるいは、赤の放電セルおよび青の放電セルを構成するデータ電極３２の電極幅が相対的に広く、緑の放電セルを構成するデータ電極３２の電極幅が相対的に狭ければ、「第１の色」を赤色および青色に設定し、「第２の色」を緑色に設定すればよい。
【０１８２】
なお、本実施の形態では、所定のしきい値を「３」とする構成を説明したが、本発明は何らこの構成に限定されるものではない。所定のしきい値は第１テーブルおよび第２テーブルを構成する各コーディングに応じて最適に設定することが望ましい。
【０１８３】
なお、本実施の形態においては、画像信号処理回路４１において、１つの画素を構成する３つの放電セルを１つの単位として上述した動作を行う例を説明した。しかし、本発明は何らこの構成に限定されるものではない。例えば、コンパレータ６１とＯＲゲート６３との間、あるいはコンパレータ６２とＯＲゲート６３との間に遅延回路を設ける等して、画素をまたいで隣接する３つの放電セルを１つの単位として、上述した動作を行う構成であってもよい。例えば、本実施の形態に示した動作例は、緑、青、赤の順に並ぶ３つの放電セルで１つの画素を構成する場合に有効である。しかし、例えば、「第１の色」が赤色および緑色であり、「第２の色」が青色であって、赤、緑、青の順に並ぶ３つの放電セルで１つの画素を構成するときには、画素をまたいで隣接する緑、青、赤の３色の放電セルを１つの単位としてテーブル判定部５５の演算が行われるように、適切に遅延回路を設けることが望ましい。
【０１８４】
なお、本実施の形態では、第１テーブルおよび第２テーブルの２つのテーブルを設け、テーブル判定部５５における判定結果にもとづきいずれか一方のテーブルを選択する構成を説明した。しかし、本発明は何らこの構成に限定されるものではない。例えば、第１テーブルおよび第２テーブルに加え、第３テーブルを設ける構成であってもよい。あるいは、第４テーブル、第５テーブル等、さらに多くのテーブルを設ける構成であってもよい。
【０１８５】
第３テーブルを設けるときの具体的な一例について説明する。例えば、第３テーブルは、「サブフィールドＳＦ１で発光しなかった放電セルではサブフィールドＳＦ２以降でも発光せず、サブフィールドＳＦ２で発光しなかった放電セルではサブフィールドＳＦ３以降でも発光しない」という規則を有するテーブルとする。そして、「第２の色」の階調値を画像データに変換するときに、「第１の色」の階調値がともに所定のしきい値未満であれば、第１テーブルにもとづき「第２の色」の階調値を画像データに変換する。また、「第１の色」の階調値のいずれか一方が所定のしきい値以上であれば、第３テーブルにもとづき「第２の色」の階調値を画像データに変換する。そして、「第１の色」の階調値がともに所定のしきい値以上であれば、第２テーブルにもとづき「第２の色」の階調値を画像データに変換する。例えば、このような構成であってもよい。
【０１８６】
あるいは、例えば、「第２の色」を青としたときに、赤の階調値または緑の階調値が第１のしきい値（例えば、「３」）未満であれば第１テーブルを用い、赤の階調値または緑の階調値が第１のしきい値以上かつ第２のしきい値（例えば、「７」）未満であれば第３テーブルを用い、赤の階調値または緑の階調値が第２のしきい値以上であれば第２テーブルを用いて、青の階調値を画像データに変換する構成であってもよい。
【０１８７】
また、この規則に従い、さらに多くのテーブルを設け、「第２の色」の放電セルにおいて、クロストークを防止する対象とするサブフィールドの数をより多くすることも可能である。
【０１８８】
そして、この規則とは、「「第１の色」の階調値にもとづく画像データによって、「第１の色」を発光する放電セルが、少なくともサブフィールドＳＦ（Ｎ）まで発光しているときは、「第２の色」を発光する放電セルでは、サブフィールドＳＦ（Ｎ）で発光しなければサブフィールドＳＦ（Ｎ＋１）以降のサブフィールドも発光しないように、「第２の色」の階調値に対応した画像データを発生する」と表すことができる。
【０１８９】
例えば、「第１の色」の階調値にもとづく画像データによって、「第１の色」を発光する放電セルが、少なくともサブフィールドＳＦ４まで発光しているときは、「第２の色」を発光する放電セルでは、サブフィールドＳＦ４で発光しなければサブフィールドＳＦ５以降のサブフィールドも発光しないように、「第２の色」の階調値に対応した画像データを発生する。
【０１９０】
あるいは、「第１の色」の階調値にもとづく画像データによって、「第１の色」を発光する放電セルが、少なくともサブフィールドＳＦ５まで発光しているときは、「第２の色」を発光する放電セルでは、サブフィールドＳＦ５で発光しなければサブフィールドＳＦ６以降のサブフィールドも発光しないように、「第２の色」の階調値に対応した画像データを発生する。
【０１９１】
本発明においては、テーブルの数を増やすことで、このようにプラズマディスプレイ装置を動作させることも可能である。
【０１９２】
なお、本実施の形態では、図８に示した測定結果にもとづき、サブフィールドＳＦ２およびサブフィールドＳＦ３において発生するクロストークを低減することを目的に、図５Ｂに示したように第２テーブルを設定した。しかし、本発明は何らこの構成に限定されるものではない。第２テーブルは、クロストークを低減する対象となるサブフィールドによって最適に設定することが望ましい。
【０１９３】
例えば、サブフィールドＳＦ２、サブフィールドＳＦ３およびサブフィールドＳＦ４において発生するクロストークを低減することを目的にする場合には、「サブフィールドＳＦ１で発光しなかった放電セルはサブフィールドＳＦ２以降でも発光せず、サブフィールドＳＦ２で発光しなかった放電セルはサブフィールドＳＦ３以降でも発光せず、サブフィールドＳＦ３で発光しなかった放電セルはサブフィールドＳＦ４以降でも発光せず、サブフィールドＳＦ４で発光しなかった放電セルはサブフィールドＳＦ５以降でも発光しない」という規則にもとづき第２テーブルを設定すればよい。
【０１９４】
（実施の形態２）
実施の形態１では、１つの画素を構成する３色の放電セルのうち、２色の放電セルはデータ電極３２の電極幅が相対的に広く、１色の放電セルはデータ電極３２の電極幅が相対的に狭い例を説明した。すなわち、赤の放電セルおよび緑の放電セルを構成するデータ電極３２の電極幅が相対的に広く、青の放電セルを構成するデータ電極３２の電極幅が相対的に狭いパネル１０を例に挙げて、各動作を説明した。
【０１９５】
本実施の形態では、１つの画素を構成する３色の放電セルのうち、１色の放電セルはデータ電極３２の電極幅が相対的に広く、２色の放電セルはデータ電極３２の電極幅が相対的に狭い例について説明する。
【０１９６】
図１０は、本発明の実施の形態２におけるプラズマディスプレイ装置に用いるパネルの放電セルおよびデータ電極の配列を拡大して示す概略図である。
【０１９７】
本実施の形態におけるパネルでは、緑の放電セルを構成するデータ電極３２の電極幅は相対的に広く、赤の放電セルおよび青の放電セルを構成するデータ電極３２の電極幅は相対的に狭い。
【０１９８】
したがって、本実施の形態では、「第２の色」は赤色および青色である。
【０１９９】
図１１は、本発明の実施の形態２におけるプラズマディスプレイ装置に用いる画像信号処理回路１４１の一構成例を概略的に示す図である。なお、図１１には、本実施の形態に示す各動作に関連する回路ブロックのみを示し、それ以外の回路ブロックは省略している。
【０２００】
図１１に示す画像信号処理回路１４１は図７に示した画像信号処理回路４１とほぼ同じ構成である。図１１に示す画像信号処理回路１４１が画像信号処理回路４１と異なる点は、画像信号処理回路４１の構成に加え、赤の画像信号に対応する第２テーブルを記憶した記憶装置（以下、「第２テーブル５３Ｒ」と記す）、およびセレクタ５６Ｒを備えた点と、テーブル判定部８０の構成がテーブル判定部５５と異なる点にある。
【０２０１】
以下、図７に示した画像信号処理回路４１と異なる構成に関して説明し、同じ構成に関しては説明を省略する。
【０２０２】
なお、第２テーブル５３Ｒに記憶された第２テーブルは、図５Ｂに示した第２テーブルと同じものである。したがって、第２テーブル５３Ｒに記憶されたテーブルと第２テーブル５３Ｂに記憶されたテーブルは互いに等しい。
【０２０３】
テーブル判定部８０は、図７に示したテーブル判定部５５の構成に加え、さらにコンパレータ６４とＯＲゲート６５とを有する。
【０２０４】
コンパレータ６４は、青の画像信号に対応する階調値変換部から出力される青の階調値と所定のしきい値とを比較する。本実施の形態において、所定のしきい値は、例えば「３」に設定される。そして、コンパレータ６４は、青の階調値が所定のしきい値以上（例えば、青の階調値が「３」以上）であれば「Ｈ」レベルを出力し、青の階調値が所定のしきい値未満（例えば、青の階調値が「３」未満）であれば「Ｌ」レベルを出力する。
【０２０５】
ＯＲゲート６５は、コンパレータ６２の出力とコンパレータ６４の出力との論理和演算を行い、その結果を出力する。すなわち、ＯＲゲート６５は、コンパレータ６２の出力とコンパレータ６４の出力とがともに「Ｌ」レベルのときに「Ｌ」レベルを出力し、それ以外では「Ｈ」レベルを出力する。
【０２０６】
したがって、ＯＲゲート６５は、本実施の形態においては、緑の階調値および青の階調値の少なくとも一方が所定のしきい値以上（例えば、階調値「３」以上）であれば、「Ｈ」レベルを出力する。そして、ＯＲゲート６５の出力はセレクタ５６Ｒに入力される。
【０２０７】
セレクタ５６Ｒは、テーブル判定部８０のＯＲゲート６５から出力される信号にもとづき第１テーブル５２Ｒと第２テーブル５３Ｒのいずれか一方を選択する。本実施の形態におけるセレクタ５６Ｒは、ＯＲゲート６５の出力が「Ｈ」レベルであれば第２テーブル５３Ｒを選択し、ＯＲゲート６５の出力が「Ｌ」レベルであれば第１テーブル５２Ｒを選択する。
【０２０８】
データ変換部５４Ｒは、赤の画像信号に対応する階調値変換部から出力される赤の階調値にもとづき、セレクタ５６Ｒにおいて選択された方のテーブルからコーディングのデータを読み出す。例えば、セレクタ５６Ｒにおいて第１テーブル５２Ｒが選択されていれば、階調値変換部から出力される赤の階調値にもとづき第１テーブル５２Ｒからコーディングのデータを読み出す。セレクタ５６Ｒにおいて第２テーブル５３Ｒが選択されていれば、階調値変換部から出力される赤の階調値にもとづき、第２テーブル５３Ｒからコーディングのデータを読み出す。そして、読み出したデータを赤の画像データとして出力する。
【０２０９】
したがって、本実施の形態において、データ変換部５４Ｒは、緑の階調値および青の階調値の少なくとも一方が所定のしきい値以上（例えば、階調値「３」以上）であれば、第２テーブルにもとづき赤の階調値を赤の画像データに変換する。また、データ変換部５４Ｒは、緑の階調値および青の階調値がともに所定のしきい値未満（例えば、階調値「３」未満）であれば、第１テーブルにもとづき赤の階調値を赤の画像データに変換する。
【０２１０】
以上示したように、本実施の形態に示す例では、１画素を構成する３色の放電セルのうち、２色の放電セルでデータ電極３２の電極幅が相対的に狭く、１色の放電セルでデータ電極３２の電極幅が相対的に広い。したがって、実施の形態１と異なり、「第１の色」は１色であり「第２の色」は２色となる。
【０２１１】
そして、「第１の色」に関しては、第１テーブルにもとづき階調値を画像データに変換し、「第２の色」に関しては、第１テーブルおよび第２テーブルのいずれかのテーブルにもとづき階調値を画像データに変換する。
【０２１２】
「第２の色」の階調値を画像データに変換する際には、「他の色」の階調値の少なくとも一方が所定のしきい値以上であれば、第２テーブルにもとづき階調値を画像データに変換し、「他の色」の階調値がともに所定のしきい値未満であれば、第１テーブルにもとづき階調値を画像データに変換する。
【０２１３】
このとき、例えば「第２の色」が赤色および青色であれば、青の階調値を画像データに変換する際の「他の色」は赤色および緑色である。また、赤の階調値を画像データに変換する際の「他の色」は青色および緑色である。
【０２１４】
そして、青の階調値を画像データに変換する際には、赤の階調値および緑の階調値の少なくとも一方が所定のしきい値以上であれば、第２テーブルにもとづき青の階調値を青の画像データに変換し、赤の階調値および緑の階調値がともに所定のしきい値未満であれば、第１テーブルにもとづき青の階調値を青の画像データに変換する。また、赤の階調値を画像データに変換する際には、青の階調値および緑の階調値の少なくとも一方が所定のしきい値以上であれば、第２テーブルにもとづき赤の階調値を赤の画像データに変換し、青の階調値および緑の階調値がともに所定のしきい値未満であれば、第１テーブルにもとづき赤の階調値を赤の画像データに変換する。
【０２１５】
これにより、データ電極３２の電極幅が相対的に狭く、比較的クロストークが発生しやすい色の放電セルにおいて、クロストークの発生を防止し、高品質の画像をパネル１０に表示することが可能になる。
【０２１６】
なお、図４に示した駆動電圧波形は本発明の実施の形態における一例を示したものに過ぎず、本発明は何らこれらの駆動電圧波形に限定されるものではない。また、図６、図７、図１１に示した回路構成も本発明の実施の形態における一例を示したものに過ぎず、本発明は何らこれらの回路構成に限定されるものではない。
【０２１７】
なお、本発明における実施の形態では、１つのフィールドを６つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０２１８】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２１９】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０２２０】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２２１】
本発明は、クロストークを抑制する効果を高めるとともに、クロストークが発生した場合に、パネルに表示される画像にクロストークが与える影響を抑制し、品質の高い画像をパネルに表示することができるので、プラズマディスプレイ装置の駆動方法およびプラズマディスプレイ装置として有用である。
【符号の説明】
【０２２２】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０    プラズマディスプレイ装置
４１，１４１    画像信号処理回路
４２    データ電極駆動回路
４３    走査電極駆動回路
４４    維持電極駆動回路
４５    タイミング発生回路
５２Ｒ，５２Ｇ，５２Ｂ    第１テーブル
５３Ｒ，５３Ｂ    第２テーブル
５４Ｒ，５４Ｇ，５４Ｂ    データ変換部
５５，８０    テーブル判定部
５６Ｒ，５６Ｂ    セレクタ
６１，６２，６４    コンパレータ
６３，６５    ＯＲゲート
【図１】
2012049841.tif 000003
【図２】
2012049841.tif 000004
【図３】
2012049841.tif 000005
【図４】
2012049841.tif 000006
【図５Ａ】
2012049841.tif 000007
【図５Ｂ】
2012049841.tif 000008
【図６】
2012049841.tif 000009
【図７】
2012049841.tif 000010
【図８】
2012049841.tif 000011
【図９Ａ】
2012049841.tif 000012
【図９Ｂ】
2012049841.tif 000013
【図１０】
2012049841.tif 000014
【図１１】
2012049841.tif 000015
【国際調査報告】
2012049841.tif 000016
2012049841.tif 000017
2012049841.tif 000018
2012049841.tif 000019